(57)【要約】【課題】遠隔地に運ばれた盗難車を容易に発見できるようにした車の盗難防止装置を得る。【解決手段】本発明は、車に搭載された電気回路６内に、電波を受信する受信部３と、受信した電波に含まれる特定のＩＤ（認識）番号を検知する検知部４と、該検知部４によって特定のＩＤ番号を検知した時、特定の周波数の電波を発信する発信部５を備えた車の盗難防止装置１を提供する。【選択図】  図１
2004161178.tif 000002
【特許請求の範囲】
【請求項１】
車に搭載された電気回路内に、電波を受信する受信部と、受信した電波に含まれる特定のＩＤ（認識）番号を検知する検知部と、該検知部によって特定のＩＤ番号を検知した時、特定の周波数の電波を発信する発信部とを備えたことを特徴とする車の盗難防止装置。
【請求項２】
車に搭載された電気回路内に、電波を受信する受信部と、受信した電波に含まれる特定のＩＤ（認識）番号を検知する検知部と、車の位置情報を取得するＧＰＳ（グローバル・ポジショニング・システム）と、該検知部によって特定のＩＤ番号を検知した時、車の位置情報を含む特定の周波数の電波を発信する発信部とを備えたことを特徴とする車の盗難防止装置。
【請求項３】
上記電気回路は車のバッテリーと、エンジン間の接続線間に介装され、該電気回路が取り外された時、該バッテリーと該エンジン間の電気接続が遮断されるように構成されたことを特徴とする請求項１又は２記載の車の盗難防止装置。
【請求項４】
上記発信部から発信される電波には特定のＩＤ番号が含まれていることを特徴とする請求項１，２又は３記載の車の盗難防止装置。
【請求項５】
上記受信部に受信される電波は携帯電話から送信されるように構成されて成ることを特徴とする請求項１，２，３又は４記載の車の盗難防止装置。
【請求項６】
上記発信部から発信される電波は携帯電話によって受信されるように構成されて成ることを特徴とする請求項１，２，３，４又は５記載の車の盗難防止装置。
【発明の詳細な説明】
【０００１】
【発明の属する技術分野】
この発明は、車の盗難防止装置に関するものであり、特に、車に搭載された電気回路内に電波の送受信部を備え、受信電波内に特定のＩＤ番号を検知した時、特定の電波を発信して盗難車の存在を知らせるように構成された車の盗難防止装置に関するものである。
【０００２】
【従来の技術および発明が解決しようとする課題】
従来の此種車の盗難防止装置として、駐車中にセンサによって異常が検出された時、特定の時間経過後、車両に搭載された車載無線機から指定された無線機へ、無線通信にて自動的に異常メッセージを通知するように構成された車両盗難防止装置が知られている（例えば、特許文献１参照。）。該車両盗難防止装置は、駐車中の車両から離れた場所でも車両の異常を知ることができ、車両の盗難を未然に防ぐことが可能である。
【０００３】
然しながら、前記車両盗難防止装置は、前記無線が届く範囲内に使用範囲が限定されるため、盗難車が無線の届かない場所に運ばれた時、盗難車を発見することは困難である。
【０００４】
そこで、遠隔地に運ばれた盗難車を容易に発見できるようにした車の盗難防止装置を得るために解決すべき技術的課題が生じてくるのであり、本発明はこの課題を解決することを目的とする。
【０００５】
【特許文献１】
特開２００１−１０４４８号公報  （第１−４頁、第１図）
【０００６】
【課題を解決するための手段】
本発明は上記目的を達成するために提案されたものであり、車に搭載された電気回路内に、電波を受信する受信部と、受信した電波に含まれる特定のＩＤ（認識）番号を検知する検知部と、該検知部によって特定のＩＤ番号を検知した時、特定の周波数の電波を発信する発信部とを備えた車の盗難防止装置、
及び、車に搭載された電気回路内に、電波を受信する受信部と、受信した電波に含まれる特定のＩＤ（認識）番号を検知する検知部と、車の位置情報を取得するＧＰＳ（グローバル・ポジショニング・システム）と、該検知部によって特定のＩＤ番号を検知した時、車の位置情報を含む特定の周波数の電波を発信する発信部とを備えた車の盗難防止装置、
及び、上記電気回路は車のバッテリーと、エンジン間の接続線間に介装され、該電気回路が取り外された時、該バッテリーと該エンジン間の電気接続が遮断されるように構成された車の盗難防止装置、
及び、上記発信部から発信される電波には特定のＩＤ番号が含まれている車の盗難防止装置、
及び、上記受信部に受信される電波は携帯電話から送信されるように構成されて成る車の盗難防止装置、
並びに、上記発信部から発信される電波は携帯電話によって受信されるように構成されて成る車の盗難防止装置を提供するものである。
【０００７】
【発明の実施の形態】
以下、本発明の一実施の形態を図１乃至図３に従って詳述する。図１に於て、１は車の盗難防止装置であり、該盗難防止装置１はアンテナ２に接続されて電波を受信する受信部３と、受信した電波内に於ける特定のＩＤ（認識）番号を検知する検知部４と、該検知部４によって特定のＩＤ番号を検知した時、特定の周波数の電波を発信する発信部５とから成る電気回路６を備え、該電気回路６は車のエンジン７とバッテリー８間の接続線９間に介装され、該電気回路６が取り外された時、該接続線９の電気接続を遮断するように構成されている。
【０００８】
図２は前記盗難防止装置１を用いたシステム全体の説明図であり、該盗難防止装置１は車１０の特殊な部位、例えば、盗難者から発見されにくい部位に搭載される。そして、該盗難防止装置１に対する送信側として、携帯電話１１、警察署に設置された送信器１２、道路施設に設置された送信器１３、その他の送信器１４等が選択的に設けられ、夫々、適宜の中継手段１５，１６，１７，１８等を介して前記盗難防止装置１に送信するように構成されている。
【０００９】
一方、該盗難防止装置１から発信された電波の受信側として、携帯電話１９、警察署に設置された受信器２０、パトカーに設置された受信器２１、道路施設に設置された受信器２２、その他の受信器２３等が選択的に設けられ、前記携帯電話１９、警察署に設置された受信器２０、その他の受信器２３は、前記盗難防止装置１から発信された特定の電波を、夫々、適宜の中継手段２４，２５，２６を介して受信するように構成され、前記パトカーに設置された受信器２１、道路施設に設置された受信器２２は直接受信するように構成されている。
【００１０】
尚、前記中継手段１５，１６，１７，１８，２４，２５，２６は前述の構成に限定されるものではなく、各送受信機器の通信方法によって適宜選択的に設けられる。
【００１１】
又、前記送信側と受信側の機器は送受信器として、適宜、一体に設けることも可能である。
而して、前記盗難防止装置１が搭載された車１０が盗難された時、前記携帯電話１１、又は、前記送信機１２，１３，１４の何れかから該盗難防止装置１が検知する特定のＩＤ番号を含む電波を送信すると、該電波は該盗難防止装置１の受信部３に受信され、前記検知部４によって前記特定のＩＤ番号を検知し、前記発信部５が特定の周波数の電波を発信する。
【００１２】
そして、該特定の周波数の電波は直接パトカー内に設置された受信機２１、又は、道路施設に設置された受信機２２によって受信されることにより、盗難された車１０の存在と、該車１０の位置情報を得ることが出来る。或いは、前記中継手段２４，２５，２６のいずれかを介して、携帯電話１９、警察署に設置された受信機２０、その他の受信機２３のいずれかに受信され、盗難された車１０の存在を知ることができると共に、前記中継手段２４，２５，２６の設置場所等の位置情報によって盗難された車１０の近辺の位置を知ることができ、これによって、遠隔地に運ばれた車１０も容易に発見することができる。又、前記盗難防止装置１を用いたシステムは携帯電話を利用することができるので、送受信が極めて容易になり、被害者のみで盗難車を発見することも可能になる。
【００１３】
図３は、前記盗難防止装置１の前述の構成に加えて、アンテナ２７を介して車の位置情報を取得するＧＰＳ（グローバル・ポジショニング・システム）２８を設け、且つ、前記発信部５から発信する特定周波数に該盗難防止装置１に付与した特定のＩＤ番号と、前記ＧＰＳによって取得したＧＰＳ情報とを加えて発信できるようにしたものである。
【００１４】
これによれば、発信された前記特定のＩＤ番号によって車の特定を行えるとともに、前記ＧＰＳ情報によって車の現在位置を正確に特定することができ、車の発見が極めて容易になる。
【００１５】
尚、前記発信部５から発信する特定周波数に加える情報は、特定のＩＤ番号、前記ＧＰＳ情報の何れか一方でも可能であり、然る時は、加えた情報による前述した効果を得ることができる。
【００１６】
又、本発明は、本発明の精神を逸脱しない限り種々の改変を為すことができ、そして、本発明が該改変されたものに及ぶことは当然である。
【００１７】
【発明の効果】
本発明は上記一実施の形態に詳述したように、請求項１記載の発明は、車に搭載された電気回路内に、電波を受信する受信部と、受信した電波に含まれる特定のＩＤ番号を検知する検知部と、該検知部によって特定のＩＤ番号を検知した時、特定の周波数の電波を発信する発信部とを備えたので、車が盗難された時、前記特定のＩＤ番号を送信すると該盗難防止装置が該ＩＤ番号を検知して特定の周波数を発信し、盗難された車の存在を知らせることができ、遠隔地に運ばれた車も容易に発見することができる。
【００１８】
又、請求項２記載の発明は、車に搭載された電気回路内に、電波を受信する受信部と、受信した電波に含まれる特定のＩＤ番号を検知する検知部と、車の位置情報を取得するＧＰＳと、該検知部によって特定のＩＤ番号を検知した時、車の位置情報を含む特定の周波数の電波を発信する発信部とを備えているので、請求項１記載の発明の効果に加え、車の位置情報を発信することにより、車の現在位置を正確に知ることができ、車の発見が極めて容易になる。
【００１９】
更に、請求項３記載の発明は、上記電気回路は車のバッテリーと、エンジン間の接続線間に介装され、該電気回路が取り外された時、該バッテリーと該エンジン間の電気接続が遮断されるように構成されているので、請求項１又は２記載の発明の効果に加え、前記電気回路を取り外すと、車のエンジンの始動が不可能となり、車の移動を困難にすることができる。
【００２０】
更に又、請求項４記載の発明は、上記発信部から発信される電波には特定のＩＤ番号が含まれているので、請求項１，２又は３記載の発明の効果に加え、該特定のＩＤ番号によって車を特定することができる。
【００２１】
そして、請求項５記載の発明は、上記受信部に受信される電波は携帯電話から送信されるように構成されて成るので、請求項１，２，３又は４記載の発明の効果に加え、携帯電話から盗難防止装置へＩＤ番号が含まれる特定の電波を容易に送信することができる。
【００２２】
又、請求項６記載の発明は、上記発信部から発信される電波は携帯電話によって受信されるように構成されて成るので、請求項１，２，３，４又は５記載の発明の効果に加え、携帯電話によって前記盗難防止装置から発信される特定周波数の電波、特定のＩＤ番号、又は、車の位置情報を受信することができる等、正に著大なる効果を奏する発明である。
【図面の簡単な説明】
【図１】本発明の一実施の形態を示し、車の盗難防止装置の説明図。
【図２】本発明の一実施の形態を示し、車の盗難防止装置を用いたシステム全体の説明図。
【図３】本発明の他の実施の形態を示し、車の盗難防止装置の説明図。
【符号の説明】
１          盗難防止装置
３          受信部
４          検知部
５          発信部
６          電気回路
７          エンジン
８          バッテリー
９          接続線
１０          車
１１，１９    携帯電話
２８          ＧＰＳ
【図１】
2004161178.tif 000003
【図２】
2004161178.tif 000004
【図３】
2004161178.tif 000005